(57)【要約】【課題】排水ポンプにて強制排水可能な洗濯機を提供する。【解決手段】排水弁１６の下流側の排水経路に配設された排水ポンプ１７と、排水経路に接続され、外箱１外に排水するための排水ホース１８と、排水弁１６及び排水ポンプ１７の制御を行う制御回路１２とを備え、排水弁１６を開き制御回路１２に基づいて実行する排水行程中に、所定時間（１０秒）経過後も水位が低下しないとき、排水ポンプ１７を動作させて強制排水する構成とした。【選択図】図３
2008093091.tif 000002
【特許請求の範囲】
【請求項１】
外箱と、
前記外箱内に設けられた水槽と、
前記水槽内に回転可能に設けられ被洗浄物を収容する洗濯兼脱水槽と、
前記水槽内に給水する給水手段と、
前記水槽内の水位を検知する水位検知手段と、
前記水槽の底部に配設された排水口と一端が接続された排水経路と、
前記排水経路に設けられた排水弁と、
前記排水経路の前記排水弁の下流側に配設された排水ポンプと、
前記排水経路の他端に接続され、前記外箱外に排水するための排水ホースと、
前記排水弁及び前記排水ポンプを制御しながら洗い、濯ぎ、脱水の各行程を実行する制御
手段とを備え、
前記排水弁を開いて実行する排水行程中に、第一の所定時間経過後も水位が低下しないと
き、前記排水ポンプを動作させて排水することを特徴とする洗濯機。
【請求項２】
排水ポンプを動作して実行する排水行程中、第二の所定時間経過後も水位が低下しないと
き、報知手段により報知することを特徴とする請求項２記載の洗濯機。
【請求項３】
第一の所定時間経過後、排水ポンプを動作させる前に、報知手段により報知することを特
徴とする請求項１記載の洗濯機。
【請求項４】
報知手段による報知後に排水ポンプの設定状況を確認し、設定状況に応じて排水ポンプを
動作させることを特徴とする請求項１又は３記載の洗濯機。
【請求項５】
排水行程の初期に、排水ポンプを動作させることを特徴とする請求項１記載の洗濯機。
【請求項６】
排水行程の初期に、水位検知手段が所定水位を検知するまで排水ポンプを動作させること
を特徴とする請求項１記載の洗濯機。
【請求項７】
排水行程において、排水弁を開く前に、排水ポンプの動作を開始することを特徴とする請
求項１記載の洗濯機。
【請求項８】
排水行程の終期において、排水弁を閉じた後、排水ポンプの動作を第三の所定時間継続さ
せることを特徴とする請求項1記載の洗濯機。
【請求項９】
操作手段の操作により、排水ポンプを動作させるか否かを選択できることを特徴とする請
求項１記載の洗濯機。
【請求項１０】
脱水行程の終了直前又は脱水行程の終了直後に、排水ポンプを動作させることを特徴とす
る請求項１記載の洗濯機。
【発明の詳細な説明】
【技術分野】
【０００１】
本発明は、排水ポンプを備えた洗濯機に関する。
【背景技術】
【０００２】
従来、通常洗濯を行う洗濯規定水位より高い異常水位を検知した場合に水槽内に貯水され
た洗濯水を排水ポンプで強制的に排水する洗濯機が知られている（例えば、特許文献１参
照。）。
【特許文献１】特開平５−６４６９８号公報（第７図）
【発明の開示】
【発明が解決しようとする課題】
【０００３】
しかしながら、異常水位とならないまでも、排水経路又は排水ホースの詰まりなどの原
因により、排水速度が著しく低下した場合には、排水弁を開放して実行する通常の排水動
作では十分に排水が行えなかったり、排水が行えたとしても排水行程が非常に長くなった
りすることもがある。このような場合には、実行している洗濯コースの終了までに要する
時間全体が長くなってしまうという欠点があった。
【０００４】
本発明は上述の事情に鑑みてなされたものであり、従ってその目的は、状況に応じて排
水ポンプを動作させて確実に水槽から排水しうる洗濯機を提供することにある。
【課題を解決するための手段】
【０００５】
上記目的を達成するために、本発明の請求項１記載の洗濯機は、外箱と、前記外箱内に
設けられた水槽と、前記水槽内に回転可能に設けられ被洗浄物を収容する洗濯兼脱水槽と
、前記水槽内に給水する給水手段と、前記水槽内の水位を検知する水位検知手段と、前記
水槽の底部に配設された排水口と一端が接続された排水経路と、前記排水経路に設けられ
た排水弁と、前記排水経路の前記排水弁の下流側に配設された排水ポンプと、前記排水経
路の他端に接続され、前記外箱外に排水するための排水ホースと、前記排水弁及び前記排
水ポンプを制御しながら洗い、濯ぎ、脱水の各行程を実行する制御手段とを備え、前記排
水弁を開いて実行する排水行程中に、第一の所定時間経過後も水位が低下しないとき、前
記排水ポンプを動作させて排水することを主たる特徴とするものである。
【発明の効果】
【０００６】
本発明の請求項１によれば、排水性能に異常が生じた場合に、排水ポンプの駆動により
一時的に排水性能を高めることができ、以って、水槽内の洗濯水を効率良く確実に排出す
ることができる。
【発明を実施するための最良の形態】
【０００７】
（第１実施例）
以下に、本発明の第１実施例である洗濯機について図１乃至図３を参照して説明する。
【０００８】
まず、図１は、本発明の第１実施例を示す洗濯機の一部を破断して示す側面図であり、
この図に示すように洗濯機本体は、四角筒状の金属製の外箱１と、この外箱１の上端開口
に装着したトップカバー２とにより洗濯機本体の外殻を構成し、該外箱１の内部には水槽
３を配置している。この水槽３は、外箱１上端から吊り下げた４本（１本のみ図示）の吊
り棒４にばね５を介して弾性支持されており、前記水槽３内部には洗濯兼脱水槽として機
能する洗濯槽６を回転可能に内設している。洗濯槽６の内底部には攪拌体７が設けられて
おり、水槽３外底面に取付けられたモータ等から構成される駆動装置８により、回転軸９
を介して洗濯槽６と攪拌体７が選択的に回転駆動されるようになっている。
【０００９】
そして、トップカバー２は前記洗濯槽６への被洗濯物の出し入れが可能な開口部を有す
るとともに、例えば二つ折り構造の洗濯蓋１０がその後面に設けられたヒンジ機構により
開閉可能に取り付けられている。また、トップカバー２の前部上面には、洗濯機の運転操
作をするための操作パネル１１を設けている。
【００１０】
操作パネル１１には、各種選択コースの設定を行うための操作キー１１ａと、洗濯時間
等を表示する表示部１１ｂとから構成されている。この操作パネル１１を形成するトップ
カバー２の内方には制御手段たる制御回路１２（図２参照。）を含んだ電子ユニットが配
設されている。
【００１１】
洗濯槽６は有底円筒状であり、その底部及び側壁には洗濯槽６内の洗濯水を水槽３側に
排出するための多数の孔６ａが形成されている。そして、洗濯槽６の上部には中空状の内
部に食塩水を封じて形成したバランスリング１３が配設されている。
【００１２】
水槽３の底部には、排水経路１４の一端となる排水溝１５が形成されており、排水経路
１４の排水溝１５の下流には排水弁１６が配設されている。さらに、排水弁１６の下流に
は排水ポンプ１７が設けられており、この排水ポンプ１７の下流で、排水経路１４の他端
には排水ホース１８が接続されている。すなわち、電磁弁からなる排水弁１６を開閉駆動
することにより、水槽３に貯水された洗濯水が排水経路１４及び排水ホース１８を介して
排出されるよう構成されている。
【００１３】
図２は洗濯機の電気的ブロック図を示している。操作キー１１ａへ入力された洗濯運転
に関する入力情報は、制御回路１２へと送られる。また、制御回路１２は、駆動回路１９
を介して給水手段たる給水弁２０、排水弁１６、排水ポンプ１７、駆動装置８と電気的に
接続されている。また、制御回路１２には、駆動装置８の回転数又は位置を検知するホー
ルＩＣ等から成る回転センサ２１と、水槽３内の水位を検知する水位検知手段たる水位セ
ンサ２２とが接続されており、これらにより検知された検知情報が随時制御回路１２に送
られている。また、制御回路１２は洗濯運転情報を表示部１１ｂに表示するよう構成され
ている。さらに、制御回路１２には、ブザー２３が接続されている。表示部１１ｂ及びブ
ザー２３はともに報知手段として機能するものである。
【００１４】
次に、洗濯機の制御内容について説明する。本洗濯機の洗濯運転は、洗濯行程、排水行
程、脱水行程、第一の濯ぎ行程、排水行程、脱水行程、第二の濯ぎ行程、排水行程、脱水
行程の順に実行される。
【００１５】
図３は、実施例１の排水行程の制御内容を示すフローチャートである。排水行程が開始
されると、タイマはＴ＝１０［秒］として（ステップＳ１）、タイマによる計時を開始し
た後（ステップＳ２）、駆動回路１９により排水弁１６を開き（ステップＳ３）、水槽３
内に貯留された洗濯水の排水が始まる。水位センサ２２は、排水開始の直後から継続して
水槽３内の洗濯水の水位を検知しており（ステップＳ４）、水位Ｗkが０より高いと判断
すると（ステップＳ５：ＮＯ）、タイマをリセットして（ステップＳ６）、Ｔ＝１０［秒
］の経過を待つ（ステップＳ７）。１０［秒］の経過後、水位ＷkをＷｋ−1として（ステ
ップＳ８）、新たに水位Ｗｋを測定し（ステップＳ９）、Ｗｋ＜Ｗｋ−１であれば（ステ
ップＳ１０：ＮＯ）、水位Ｗｋが０以下であるかどうか判断し、０より高ければ（ステッ
プＳ５：ＮＯ）、再びステップＳ６乃至Ｓ１０までの過程を繰り返し、水位Ｗｋが０以下
であれば（ステップＳ５：ＹＥＳ）、排水弁１６を閉じて（ステップＳ１１）、排水行程
を終了する。なお、ここでのＴ（＝１０［秒］）は第一の所定時間と呼ぶ。
【００１６】
一方、水位Ｗｋ≧Ｗｋ−１であるとき、つまり直前の水位測定結果よりも水位が実質的
に低くなっていないときには（ステップＳ１０：ＹＥＳ）、駆動回路１９を介して排水ポ
ンプ１７を駆動し（ステップＳ１２）、水槽３内の洗濯水を強制的に排水する。それと同
時に、Ｔ＝１０［秒］となり、水位Ｗｋが０以下でなければ（ステップＳ１４：ＮＯ）、
タイマをリセットした後（ステップＳ１５）、１０［秒］経過まで計時する（ステップＳ
１６：ＮＯ）。１０［秒］が経過した場合（ステップＳ１６：ＹＥＳ）、水位ＷｋをＷｋ
−1として（ステップＳ１７）、新たに水位Ｗｋを測定し（ステップＳ１８）、Ｗｋ＜Ｗ
ｋ−１、つまり水位が低くなっているときには（ステップＳ１９：ＮＯ）、水位Ｗｋが０
以下であるかどうか判断し、０より高ければ（ステップＳ１４：ＮＯ）、再びステップＳ
１５乃至Ｓ１９までの過程を繰り返す。一方、水位Ｗｋ≧Ｗｋ−１であれば（ステップＳ
１９：ＹＥＳ）、ブザー２３を鳴動させるとともに（ステップＳ２０）、表示部１１ｂに
エラー表示をして（ステップＳ２１）、排水性能に異常があることを使用者に報知する。
ここでのＴ（＝１０［秒］）を第二の所定時間と呼ぶ。
【００１７】
そして、ステップ１４にて、水位Ｗｋが０以下であると検知された場合には、排水ポン
プ１７の駆動を停止し（ステップＳ２２）、排水弁１６を閉じて（ステップＳ１１）、排
水行程を終了する。
【００１８】
上記した実施例の構成によれば、以下に述べるような作用・効果を奏することができる
。排水性能に低度の異常が生じた場合、例えば、排水ホース１８等の排水経路にリントが
詰まるなどして排水性能が僅かに劣化したときなどに、排水ポンプ１７を駆動させて、排
水ポンプ１７の駆動により一時的に排水性能を高め、強制的に水槽３内の洗濯水を排水す
る構成としたことで、安易に排水性能の異常を報知することなく短時間に確実に排水する
ことができる。さらに、給水弁２０の故障や排水ホース１８の潰れや詰まり等により排水
ポンプ１７を駆動しても水位Ｗｋが低下しない場合には、より高度の異常状態であると判
断し、使用者に報知する構成としたことにより、早期に使用者に知らしめ、対応を促すこ
とができる。
【００１９】
＜変形例＞
次いで、本発明の第１実施例の変形例につき、図４及び５を参照して説明する。このも
のは、上記した第１実施例の操作パネル１１に排水ポンプ１７のＯＮ又はＯＦＦを選択す
る排水ポンプキー２４を追加した点と、制御回路２５が異なるものの、そのほかは実質的
に同じ構成となっている。したがって、以下、上記第１実施例と同一部分には、同一符号
を付して説明を省略し、異なる点のみ説明する。
【００２０】
図４は、第１実施例の変形例を示す操作パネル１１の正面図である。操作パネル１１に
は、操作キー１１ａとして、水位設定、洗い時間設定、濯ぎ時間設定、脱水時間設定、コ
ース設定の各種設定キー、電源の入切キー、スタート又は一時停止キーのほか、排水ポン
プ動作の有無を選択するための排水ポンプキー２４が配設されている。この排水ポンプキ
ー２４は、洗濯機本体の電源がＯＮの状態にて、押圧する毎にＯＮとＯＦＦを繰り返すよ
うに構成されている。また、この排水ポンプキー２４の近傍には排水ポンプ設定「有」の
場合に点灯し、「無」の場合に消灯するＬＥＤ２４ａが配設されている。
【００２１】
そして、図５は、この変形例における排水行程の制御内容を示している。第１実施例と
異なる点は、ステップＳ１０にて水位Ｗｋ≧Ｗｋ−１であれば（ステップＳ１０：ＹＥＳ
）、ブザー２３を鳴動し（ステップＳ２３）、ステップＳ２４にて排水ポンプキー２４の
設定の状態を判断して、設定が「有」であれば（ステップＳ２４：ＹＥＳ）、排水ポンプ
１７をＯＮして（ステップＳ１２）、それ以降は実施例１と同じ制御を実行する。一方、
ステップＳ２４にて、排水ポンプ２４の設定が「無」であると判断した場合には（ステッ
プＳ２４：ＮＯ）、表示部１１ｂにエラー表示し（ステップＳ２１）、排水性能に異常が
あることを使用者に報知する。
【００２２】
上記した変形例の構成によれば、第１実施例の構成による効果に加えて、以下に述べる
ような作用・効果を奏することができる。排水ポンプ１７の動作前にブザー２３を鳴動さ
せる構成としたことにより排水性能に異常があることを予め使用者に報知することができ
る。また、操作パネル１１上の排水ポンプキー２４にてＯＮ又はＯＦＦを選択可能な構成
となっているため、使用者は排水ポンプ１７の使用の有無を任意に選択することができ、
無駄に排水ポンプ１７を動作させることなく消費電力を低減することができる。
【００２３】
なお、排水ポンプキー２４の設定状態が限定されることはなく、ブザー２３の鳴動（ス
テップＳ２３）後の所定時間、排水行程が待機状態となり、その所定時間内に、排水ポン
プキー２４が押圧されると、排水ポンプ１７の動作が開始するような構成してもよい。ま
た、操作パネル１１上の操作キー１１ａのいずれかのキーに排水行程中のみ排水ポンプキ
ーとして機能させてもよい。
【００２４】
（第２実施例）
次いで、本発明の第２実施例につき、図６を参照して説明する。このものは、上記した
第１実施例と排水行程全体が異なるものの、その他は同じ構成となっている。したがって
、以下、上記第１実施例と同一部分には、同一符号を付して説明を省略し、異なる点のみ
説明する。
【００２５】
図６は、制御回路２６に基づいて実行される、第２実施例における排水行程の制御内容
を示している。排水行程が開始されると、Ｔ＝１０［秒］とし（ステップＳ３１）、排水
弁１６が開き（ステップＳ３２）、同時に排水ポンプ１７の動作を開始するとともに（ス
テップＳ３３）、タイマの計時を開始する（ステップＳ３４）。次に、水槽３内の洗濯水
の水位Ｗｋの測定を定期的に行う。具体的には、タイマをリセットしてから（ステップＳ
３５）、１０秒経過したかどうか判断し（ステップＳ３６）、１０秒経過したと判断した
ならば（ステップ３６：ＹＥＳ）、ステップＳ３７にて水位Ｗｋを測定する（ステップＳ
３７）。水位Ｗｋ≧Ｌ１であれば（ステップＳ３８：ＹＥＳ）、排水ポンプ１７の動作を
停止する（ステップＳ３９）。その後、ステップＳ４０にて水位Ｗｋの測定を継続し、水
位Ｗｋ＜０であれば（ステップＳ４１）、排水弁１６を閉じ（ステップＳ４２）、排水行
程を終了する。なお、水位Ｌ１は、排水行程開始直前に測定した水位に基づいて決定され
る水位であり、例えば、その測定水位から水量にして約５リットル程度引いたものに相当
する水位である。
【００２６】
上記した第２実施例の構成によれば、以下に述べるような作用・効果を奏することがで
きる。排水行程の開始直後に、排水弁１６を開き、排水ポンプ１７の動作を開始してから
、水槽３内の洗濯水の水位が所定の水位Ｌ１以下に低下すると、排水ポンプ１７の動作を
停止する構成としたので、排水行程の初期において、排水行程前から排水ホース１８内に
存在する残水を強制的に排出することができ、以って、不衛生な残水が水槽３内に逆流す
ることを防止できる。また、残水の強制排水後は、排水ポンプ１７の動作を停止して無駄
に排水ポンプ１７を動作させることなく消費電力を低減することができる。
【００２７】
＜変形例１＞
次いで、本発明の第２実施例の変形例１につき、図７を参照して説明する。このものは
、上記した第２実施例とは、排水ポンプ１７の動作を停止する判断基準が異なっており、
そのほかは実質的に同じ構成となっている。したがって、以下、上記第２実施例と同一部
分には、同一符号を付して説明を省略し、異なる点のみ説明する。
【００２８】
図７は、制御回路２７に基づいて実行される、第２実施例の変形例１における排水行程
の制御内容を示している。排水行程が開始されると、タイマはＴ＝２０［秒］として（ス
テップＳ４３）、排水弁１６を開くとともに（ステップＳ４４）、排水ポンプ１７の動作
を開始し（ステップＳ４５）、それと同時にタイマによる計時を開始する（ステップＳ４
６）。その後、所定時間２０［秒］が経過したと判断すると（ステップＳ４７）、排水ポ
ンプ１７の動作を停止する（ステップＳ４８）。その後は、第２実施例と同様に、ステッ
プＳ４０からＳ４２を実行して排水行程を終了する。
【００２９】
上記した第２実施例の変形例１の構成によれば、以下に述べるような作用・効果を奏す
ることができる。排水行程の開始直後に、排水弁１６を開き、排水ポンプ１７の動作を開
始してから所定時間２０［秒］を経過すると、排水ポンプ１７の動作を停止する構成とし
たので、排水行程の初期において、排水行程前から排水ホース１８内に存在する残水を強
制的に排出することができ、以って、不衛生な残水が水槽３内に逆流することを防止でき
る。また、残水の強制排水後は、排水ポンプ１７の動作を停止して無駄に排水ポンプ１７
を動作させることなく消費電力を低減することができる。
【００３０】
＜変形例２＞
次いで、本発明の第２実施例の変形例２につき、図８を参照して説明する。このものは
、上記した第２実施例の変形例１とは、排水ポンプ１７の動作開始時期が異なっており、
そのほかは実質的に同じ構成となっている。したがって、以下、上記第２実施例の変形例
１と同一部分には、同一符号を付して説明を省略し、異なる点のみ説明する。
【００３１】
図８は、制御回路２８に基づいて実行される、第２実施例の変形例２における排水行程
の制御内容を示している。排水行程が開始されると、タイマはＴ＝５［秒］として（ステ
ップＳ５１）、排水ポンプ１７の動作を開始し（ステップＳ５２）、それと同時にタイマ
による計時を開始する（ステップＳ５３）。その後、所定時間５［秒］が経過したと判断
すると（ステップＳ５４）、排水弁１６を開き（ステップＳ５５）、水槽３内の洗濯水の
排水を開始する。それと同時に、タイマはＴ＝２０［秒］としたうえ（ステップＳ５６）
、タイマをリセットして再び計時を開始する（ステップＳ５７）。その後、所定時間２０
［秒］が経過したと判断すると（ステップＳ５８）、排水ポンプ１７の動作を停止する（
ステップＳ５９）。その後は、第２実施例と同様に、排水ポンプ１７の動作を停止した後
も、水位Ｗｋを測定しながら排水を継続し（ステップＳ４０）、水位Ｗｋ＜０であれば（
ステップＳ４１）、排水弁１６を閉じ（ステップＳ４２）、排水行程を終了する。
【００３２】
上記した第２実施例の変形例２の構成によれば、以下に述べるような作用・効果を奏す
ることができる。排水行程の開始直後に、排水ポンプ１７の動作を開始して所定時間５［
秒］を経過したのち、排水弁１６を開く構成としたので、排水行程の初期において、水槽
３内の洗濯水の排水が開始される前に、排水行程前から排水ホース１８内に存在する残水
を強制的に排出することができ、以って、不衛生な残水が水槽３内に逆流することを一層
確実に防止できる。また、残水の強制排水後は、排水ポンプ１７の動作を停止して無駄に
排水ポンプ１７を動作させることなく消費電力を低減することができる。
【００３３】
（第３実施例）
次いで、本発明の第３実施例につき、図９を参照して説明する。このものは、上記した
第１実施例と排水行程全体が異なるものの、その他は同じ構成となっている。したがって
、以下、上記第１実施例と同一部分には、同一符号を付して説明を省略し、異なる点のみ
説明する。
【００３４】
図９は、制御回路２９に基づいて実行される、第３実施例における排水行程の制御内容
を示している。排水行程が開始されると、タイマはＴ＝２０［秒］として（ステップＳ７
１）、排水弁１６を開くとともに（ステップＳ７２）、それと同時にタイマによる計時を
開始する（ステップＳ７３）。その後、所定時間２０［秒］が経過したと判断すると（ス
テップＳ７４）、排水ポンプ１７の動作を開始する（ステップＳ７５）。その後、水槽３
内の水位Ｗｋを測定しながら排水を継続し（ステップＳ７６）、水位Ｗｋ≦０と判断する
と（ステップＳ７７）、排水弁１６を閉じるとともに（ステップＳ７８）、Ｔ＝１０［秒
］とし（ステップＳ７９）、タイマをリセットして再び計時を開始する（ステップＳ８０
）。そして、所定時間１０［秒］が経過したと判断すると（ステップＳ８１）、排水ポン
プ１７の動作を停止して（ステップＳ８２）、排水行程を終了する。なお、この所定時間
１０［秒］を第三の所定時間と呼ぶ。
【００３５】
上記した第３実施例の構成によれば、以下に述べるような作用・効果を奏することがで
きる。排水行程が開始され、自然排水が終了して排水弁１６を閉じてから所定時間１０［
秒］経過するまで、排水ポンプ１７を動作させる構成としたので、自然排水の終了後に排
水ホース１８内に存在する残水を強制的に排出することができ、以って、次回の洗濯運転
時まで排水ホース１８内に残る残水を極力少なくすることができる。
【００３６】
（第４実施例）
次いで、本発明の第４実施例につき、図１０を参照して説明する。このものは、上記し
た第１実施例と脱水行程全体が異なるものの、その他は同じ構成となっている。したがっ
て、以下、上記第１実施例と同一部分には、同一符号を付して説明を省略し、異なる点の
み説明する。
【００３７】
図１０は、制御回路３０に基づいて実行される、第４実施例における脱水行程の制御内
容を示している。洗濯行程や濯ぎ行程後に排水行程を実施した後、脱水行程が開始される
と、タイマはＴ＝５［分］として（ステップＳ９１）、排水弁１６を開くとともに（ステ
ップＳ９２）、駆動装置８の駆動を開始して（ステップＳ９３）、それと同時にタイマに
よる計時を開始する（ステップＳ９４）。その後、洗濯槽６の高速回転を継続し、脱水行
程の終了直前、すなわち所定時間５［分］が経過したと判断すると（ステップＳ９５）、
排水ポンプ１７の動作を開始して強制排水する（ステップＳ９６）。ここで、Ｔ＝２０［
秒］として（ステップＳ９７）、タイマをリセットして再び計時を開始し（ステップＳ９
８）、所定時間２０［秒］が経過したと判断したら、駆動装置８の動作を停止し（ステッ
プＳ１００）、排水弁１６を閉じ（ステップＳ１０１）、排水ポンプ１７の動作を停止し
て（ステップＳ１０２）、脱水行程を終了する。
【００３８】
上記した第４実施例の構成によれば、以下に述べるような作用・効果を奏することがで
きる。排水行程後の脱水行程開始後所定時間２０［秒］を経過してから脱水が終了するま
で、排水ポンプ１７を動作させる構成としたので、排水行程後の脱水行程の終了後におい
ても、排水ホース１８内に存在する残水を強制的に排出することができ、以って、次回の
洗濯運転時まで排水ホース１８内に残る残水を極力少なくすることができる。
【００３９】
なお、本発明は上記し且つ図面に示した実施例に限定されず、例えば、最終濯ぎ後の脱
水行程の終期においてのみ、排水ポンプを動作させて排水ホース１８内の残水を強制排水
する構成としてもよいし、脱水行程の終了直前ではなく終了直後であってもよいなど、実
施に際して本発明の要旨を逸脱しない範囲で種々変更して実施可能である。
【図面の簡単な説明】
【００４０】
【図１】本発明の第１実施例を示す洗濯機の一部を破断して示す側面図
【図２】電気的ブロック図
【図３】本発明の第１実施例の洗浄コースの制御内容を示すフローチャート
【図４】第１実施例の変形例１を示す操作パネルの正面図
【図５】第１実施例の変形例１を示す図３相当図
【図６】本発明の第２実施例を示す図３相当図
【図７】本発明の第２実施例の変形例１を示す図３相当図
【図８】本発明の第２実施例の変形例２を示す図３相当図
【図９】本発明の第３実施例を示す図３相当図
【図１０】本発明の第４実施例の脱水行程を示すフローチャート
【符号の説明】
【００４１】
１  外箱
２  トップカバー
３  水槽
６  洗濯槽
１１  操作パネル
１１ａ  操作キー
１１ｂ  表示部
１２、２５、２６、２７、２８、２９、３０  制御回路
１４  排水経路
１５  排水溝
１６  排水弁
１７  排水ポンプ
１８  排水ホース
２４  排水ポンプキー
【図１】
2008093091.tif 000003
【図２】
2008093091.tif 000004
【図３】
2008093091.tif 000005
【図４】
2008093091.tif 000006
【図５】
2008093091.tif 000007
【図６】
2008093091.tif 000008
【図７】
2008093091.tif 000009
【図８】
2008093091.tif 000010
【図９】
2008093091.tif 000011
【図１０】
2008093091.tif 000012